(57)【要約】      （修正有）【課題】確実に抜け止めを行うことが可能な電気接続装置を提供する。【解決手段】電気接続器１０は、本体１１、接続片支持部１２、一対の接続片１３Ｎ、１３Ｌ、アース接続片１４Ｇ、ロック部材１５、ロック解除部材１６を具備する。本体は、電気絶縁材で構成され一対の電線およびアース線が接続される接続部を内部に有する。接続片支持部１２は、本体の一端部側から突出して設けられる。一対の接続片は、前記一対の電線が接続される接続部に一端が接続され、他端が外部に露出するように接続片支持部に対向して支持される。アース接続片は、前記アース線が接続される接続部に一端が接続され、他端が外部に露出するように接続片支持部に支持される。ロック部材は、係合部と支持部を有し、係合部が本体の外表面から出没するように支持部が本体内に支持される。ロック解除部材は、操作部が本体外表面からロック部材のロックを解除できるように本体に設けられる。【選択図】図１
2014067482.tif 000002
【特許請求の範囲】
【請求項１】
電気絶縁材で構成され一対の電線およびアース線が接続される接続部を内部に有する本体と；
本体の一端部側から突出して設けられた接続片支持部と；
前記一対の電線が接続される接続部に一端が接続され、他端が外部に露出するように接続片支持部に対向して支持された一対の接続片と；
前記アース線が接続される接続部に一端が接続され、他端が外部に露出するように接続片支持部に支持されたアース接続片と；
係合部と支持部を有し、係合部が本体の外表面から出没するように支持部が本体内に支持されたロック部材と；
操作部が本体外表面からロック部材のロックを解除できるように本体に設けられたロック解除部材と；
を具備していることを特徴とする電気接続器。
【請求項２】
電気絶縁部材で構成され一対の電線およびアース線が接続される接続部を内部に有するケース部材と、ケース部材を覆うように設けられたカバー部材を有する本体と；
本体の一端部側から本体の長手方向に沿うように突出して設けられた接続片支持部と；
前記一対の電線が接続される接続部に一端が接続され、他端が外部に露出するように接続片支持部の長手方向に沿うように対向して支持された一対の接続片と；
前記アース線が接続される接続部に一端が接続され、他端が外部に露出し、かつ前記一対の接続片間で本体の長手方向中心線上に略位置するように接続片支持部に支持されたアース接続片と；
係合部と支持部を有し、係合部がアース接続片に沿う本体外表面から出没するように支持部が本体の長手方向中心線上に略位置して本体内に支持されたロック部材と；
操作部がアース接続片に沿う本体外表面からロック部材のロックを解除できるように本体の長手方向中心線上に略位置して本体に設けられたロック解除部材と；
を具備していることを特徴とする電気接続器。
【請求項３】
請求項１または２に記載の一対の接続片およびアース接続片が挿入される挿入口を有する本体と；
本体の挿入口に対向して本体内に収容され、前記一対の接続片およびアース接続片が挿入されることにより接続される一対の受接続片およびアース受接続片と；
前記本体の挿入口内部に形成され、前記一対の接続片およびアース接続片が挿入されて一対の受接続片およびアース受接続片に接続された状態で請求項１または２に記載のロック部材の係合部が係合する係合受部と；
を具備していることを特徴とする電気接続受器。
【請求項４】
請求項１または２に記載の電気接続器と；
請求項３に記載の電気接続受器と；
を具備していることを特徴とする電気接続装置。
【発明の詳細な説明】
【技術分野】
【０００１】
本発明の実施形態は、劇場、舞台、テレビスタジオ等の演出空間で主として使用され、電源部と照明器具等の負荷との電気的な接続を行うための電気接続器、電気接続受器および電気接続装置に関する。
【背景技術】
【０００２】
この種の演出空間で大多数を占めて使用されているＣ型プラグは、Ｃ型コネクタやＣ型コンセントに接続して使用され、劇場、舞台、テレビスタジオ等の床面に多数が設置され、また多数のケーブルとともに床面に引き回されて使用されている。このため、作業者等が足に引っ掛けるなどして保持力を超える力が作用した場合、プラグがコネクタ等から抜けてしまう問題が生じる。また、プラグをコネクタ等に接続した状態で壁面等に掛けて使用した場合、重いケーブルの自重によって抜ける可能性もある。
【０００３】
このため、ＪＡＴＥＴ（Ｔｈｅａｔｒｅ  ａｎｄ  Ｅｎｔｅｒｔａｉｎｍｅｎｔ  Ｔｅｃｈｎｏｌｏｇｙ  Ａｓｓｏｃｉａｔｉｏｎ  Ｊａｐａｎ  公益法人  劇場演出空間技術協会）の規格によって、プラグとコネクタ等との保持力を強くするために、保持力が３０〜１２０ニュートンとなるように規定されている。
【０００４】
しかし、上記のように煩雑でかつ過酷な状態で使用されているために、保持力を超える力が作用して抜けてしまい実運用上で不都合が生じ、例えば、テープで固定したり、紐で縛ったりして抜け止めを行っている。しかし、その作業には手間がかかり、さらに長期の使用に際しては、テープが剥がれたり紐が緩んだりして抜け止めの作用を奏しない問題がある。
【先行技術文献】
【特許文献】
【０００５】
【特許文献１】特開平８−３２１３５５号公報
【特許文献２】特開２００１−６８２００号公報
【発明の概要】
【発明が解決しようとする課題】
【０００６】
このため、この種、演出空間においては、簡単な操作で、かつ確実に抜け止めを行うことが可能な電気接続器、電気接続受器および電気接続装置を、如何にして実現するかが重要な課題となっている。
【０００７】
本発明は、上記の課題に鑑みなされたもので、簡単な操作で、かつ確実に抜け止めを行うことが可能な電気接続器、電気接続受器および電気接続装置を提供しようとするものである。
【課題を解決するための手段】
【０００８】
本発明の実施形態における電気接続器は、本体、接続片支持部、一対の接続片、アース接続片、ロック部材、ロック解除部材を具備する。本体は、電気絶縁材で構成され一対の電線およびアース線が接続される接続部を内部に有する。接続片支持部は、本体の一端部側から突出して設けられる。一対の接続片は、前記一対の電線が接続される接続部に一端が接続され、他端が外部に露出するように接続片支持部に対向して支持される。アース接続片は、前記アース線が接続される接続部に一端が接続され、他端が外部に露出するように接続片支持部に支持される。ロック部材は、係合部と支持部を有し、係合部が本体の外表面から出没するように支持部が本体内に支持される。ロック解除部材は、操作部が本体外表面からロック部材のロックを解除できるように本体に設けられる。
【発明の効果】
【０００９】
本発明によれば、簡単な操作で、かつ確実に抜け止めを行うことが可能な電気接続器、電気接続受器および電気接続装置を提供することができる。
【図面の簡単な説明】
【００１０】
【図１】本発明の実施形態である電気接続器と電気接続受器を裏面側から見た斜視図。
【図２】同じく電気接続器と電気接続受器を表面側から見た斜視図。
【図３】同じく電気接続器を示し、（ａ）はカバー部材を外した状態の上面図、（ｂ）は本（ａ）図のｂ−ｂ線に沿う断面図、（ｃ）は本（ａ）図のｘ−ｘ線に沿う断面図。
【図４】同じく電気接続受器を示し、（ａ）はカバー部材を外した状態の上面図、（ｂ）は右側面図、（ｃ）は本（ａ）図のｘ−ｘ線に沿う断面図。
【図５】同じく電気接続器と電気接続受器を示し、（ａ）は電気接続器のロック部材を拡大して示す断面図、（ｂ）は電気接続器のロック部材が電気接続受器の係合受部に係合する直前の状態を示す断面図、（ｃ）は電気接続器のロック部材が電気接続受器の係合受部に係合した状態を示す断面図。
【図６】同じく他の電気接続受器を示す断面図。
【図７】同じく電気接続器と電気接続受器からなる電気接続装置を示し、（ａ）は電気接続器が電気接続受器に差し込まれた状態を、カバー部材を外した状態で示す上面図、（ｂ）は電気接続器が電気接続受器に差し込まれた状態を示す断面図。
【図８】同じく電気接続器の変形例を示し、（ａ）は電気接続器のロック部材を拡大して示す断面図、（ｂ）は電気接続器のロック部材が電気接続受器の係合受部に係合する直前の状態を示す断面図。
【図９】電気接続器と電気接続受器の抜け止めを行う他の例を示し、（ａ）は電気接続受器にロック部材を取り付けた状態を示す斜視図、（ｂ）は本（ａ）図に示す状態の電気接続受器に電気接続器を接続した状態を示す斜視図、（ｃ）は本（ｂ）図に示す状態からロック部材を開いた状態を示す斜視図、（ｄ）は本（ｃ）図に示す状態からロック部材を電気接続器に移動した状態を示す斜視図、（ｅ）は本（ｄ）図に示す状態からロック部材を電気接続器に固定した状態を示す斜視図。
【図１０】電気接続器と電気接続受器の抜け止めを行うさらに他の例を示し、（ａ）は電気接続受器にロック部材を取り付けた状態を示す斜視図、（ｂ）は本（ａ）図に示す状態のロック部材を開いた状態を示す斜視図、（ｃ）は本（ｂ）図に示す状態の電気接続受器に電気接続器を接続した状態を示す斜視図、（ｄ）は本（ｃ）図に示す状態からロック部材を電気接続器に当接した状態を示す斜視図、（ｅ）は本（ｄ）図に示す状態からロック部材を電気接続器に固定した状態を示す斜視図。
【発明を実施するための形態】
【００１１】
以下、本発明の実施形態について図に従い説明する。
【００１２】
本実施形態は、演出空間専用の１２５Ｖ、３０Ａ仕様のＣ型電気接続器、Ｃ型電気接続受器および電気接続装置を構成するもので、先ず、Ｃ型電気接続器につき、その構成を説明する。
【００１３】
本実施形態のＣ型電気接続器は、Ｃ型プラグ１０を構成するもので、図１、図２に示すように、電気絶縁材で構成された本体１１、本体１１の一端部側から突出して設けられた接続片支持部１２、接続片支持部１２に支持された一対の接続片１３Ｎ、１３Ｌ、接続片支持部１２に支持されたアース接続片１４Ｇ、係合部と支持部を有するロック部材１５、操作部を有するロック解除部材１６等で構成する。
【００１４】
本体１１は、電気絶縁性を有するフェノール樹脂等の合成樹脂で構成されたケース部材１１ａとカバー部材１１ｂで構成され、ケース部材１１ａは上面を開放した浅い矩形状をなし、カバー部材１１ｂも同様に、下面を開放した浅い矩形状をなし、それぞれの開放面を接合することによって、内部に空間を形成した扁平の箱体をなす本体１１が構成される。
【００１５】
ケース部材１１ａは、図３（ａ）に示すように、その空間内に、一対の電線およびアース線が接続される接続部を内部に有して構成される。すなわち、本実施形態では、ニュートラル側の電線が接続される接続部１１Ｎ、ホットライン側の電線が接続される接続部１１Ｌおよびアース線が接続される接続部１１Ｇがケース部材１１ａの空間内に配置されて収容される。
【００１６】
ニュートラル側の接続部１１Ｎとホットライン側の接続部１１Ｌは、ケース部材１１ａの長手方向の中心線ｘ−ｘを中心にし、左右対称となるように対向させ、ケース部材１１ａの一端部側(図３（ａ）中、左方)の両側内面に沿って配置する。また、アース線が接続される接続部１１Ｇは、左右対称に配置されたニュートラル側の接続部１１Ｎとホットライン側の接続部１１Ｌ間に、換言すれば、ケース部材１１ａの長手方向の中心線ｘ−ｘ上に略位置するようにして配置される。
【００１７】
本実施形態において、各接続部１１Ｎ、１１Ｌ、１１Ｇは、ケース部材１１ａの底面に嵌合することにより設けられた黄銅板からなる端子板１１Ｎ１、１１Ｌ１、１１Ｇ１と、これら端子板にねじ込むことが可能な黄銅からなる端子ネジ１１Ｎ２、１１Ｌ２、１１Ｇ２で構成した。
【００１８】
接続片支持部１２は、本体１１におけるケース部材１１ａの一端部側(図３（ａ）中、左方の端部)から本体１１の長手方向の中心線ｘ−ｘ上に沿うように突出して設けられる。本実施形態において、接続片支持部１２は、ケース部材１１ａと樹脂成形によって一体に形成した。また、接続片支持部１２は、図２に示すように、横断面が略Ｕ字形の樋をなす形状に形成され、一対の接続片１３Ｎ、１３Ｌおよびアース接続片１４Ｇが支持される。
【００１９】
一対の接続片１３Ｎ、１３Ｌは、接続片支持部１２とともにＣ型プラグの栓刃を構成するもので、導電性を有しかつバネ性を有するリン青銅板や黄銅板で構成され、一対の電線が接続される接続部、すなわち、ニュートラル側の接続部１１Ｎとホットライン側の接続部１１Ｌに一端が接続され、他端が外部に露出するように接続片支持部１２の長手方向に沿うように対向して支持される。
【００２０】
本実施形態では、それぞれがリン青銅板で構成された細長の一対の接続片は、一方がニュートラル側の接続片１３Ｎを構成し、他方がホットライン側の接続片１３Ｌを構成する。そして、ニュートラル側の接続片１３Ｎの一端が、ケース部材１１ａのニュートラル側の端子板１１Ｎ１に対し、端子ネジ１１Ｎ２によってネジ込まれて接続され、他端が接続片支持部１２の樋をなす一方（図３（ａ）中、下方）の側面内部に沿って延出され、さらに先端部分が外部に露出するようにして折り曲げられ、接続片支持部１２の先端にさらに折り曲げることによって係止し支持される。
【００２１】
同様にしてホットライン側の接続片１３Ｌの一端が、ホットライン側の端子板１１Ｌ１に対し、端子ネジ１１Ｌ２によってネジ込まれて接続され、他端が接続片支持部１２の樋をなす他方（図３（ａ）中、上方）の側面内部に沿って延出され、さらに先端部分が外部に露出するようにして折り曲げられ、接続片支持部１２の先端にさらに折り曲げることによって係止し支持される。
【００２２】
アース接続片１４Ｇは、図３（ｃ）に示すように、接続片支持部１２とともにプラグのアース栓刃を構成するもので、導電性を有し、かつバネ性を有するリン青銅や黄銅で構成され、アース線が接続される接続部１１Ｇに一端が接続され、他端が外部に露出し、かつ前記一対の接続片１３Ｎ、１３Ｌの間で、本体１１の長手方向の中心線ｘ−ｘ上に略位置するように接続片支持部１２に支持される。
【００２３】
本実施形態では、一対の接続片１３Ｎ、１３Ｌと同様に、リン青銅板で構成された細長のアース接続片１４Ｇの一端が、ケース部材１１ａの端子板１１Ｇ１に対し、端子ネジ１１Ｇ２によってネジ込まれて接続される。また、細長のアース接続片１４Ｇの他端が、接続片支持部１２の樋の凹溝の内底面に沿い、アース接続片１４Ｇ上面が外部に向けて露出するようにして延出され、さらに先端を折り曲げることによって係止し支持される。
【００２４】
これら構成によって、横断面が略Ｕ字形の樋をなし、その長手方向の両側面に沿って一対の接続片１３Ｎ、１３Ｌが支持され、樋の凹溝の内底面にアース接続片１４Ｇが支持されたＣ型プラグとしての栓刃が構成される。
【００２５】
ロック部材１５は、本実施形態のＣ型プラグをなす電気接続器１０をＣ型コネクタやＣ型コンセント等の電気接続受器２０に差し込んで接続した際に、電気接続受器２０からＣ型プラグである電気接続器１０が抜けないようにロックするための部材で、図３（ｃ）に示すように、係合部１５ａと支持部１５ｂを有し、係合部１５ａがアース接続片１４Ｇに沿う本体１１外表面から出没するように（図１）、支持部１５ｂが本体１１の長手方向中心線ｘ−ｘ上に略位置して本体１１内に支持される。
【００２６】
すなわち、図５（ａ）に拡大して示すように、ロック部材１５は、フェノール樹脂等の合成樹脂で係合部１５ａと支持部１５ｂが一体に形成され、本実施形態においては、一端に鉤状をなす係合部１５ａが形成され、他端に枢軸１５ｂ１を有する支持部１５ｂが一体に形成され、全体として２個のＬ字が互い違いに連続して組み合わされた形状をなすように構成されている。また、ロック部材１５は、係合部１５ａと支持部１５ｂとの間にバネ部材、本実施形態ではコイルスプリング１５ｃが設けられている。
【００２７】
ロック解除部材１６は、操作部１６ａがアース接続片１４Ｇに沿う本体１１外表面からロック部材１５のロックを解除できるように（図１）、本体１１の長手方向の中心線ｘ−ｘ上に略位置して本体１１に設けられる。すなわち、図５（ａ）に拡大して示すように、ロック解除部材１６は、ロック部材１５の係合部１５ａと支持部１５ｂとの間に操作部１６ａが一体に形成される。この操作部１６ａは、外面側を傾斜して操作ボタン１６ａ１を一体に形成することによって構成される。そして、本実施形態においては、操作部１６ａの内面側に上述したロック部材１５のコイルスプリング１５ｃが設けられている。
【００２８】
上記に構成されたロック部材１５およびロック解除部材１６は、本体１１におけるケース部材１１ａの内底面に貫通して形成された窓孔に対向して設けられる。窓孔は係合窓孔１１ａ１と操作窓孔１１ａ２からなり、係合窓孔１１ａ１は、本体１１の長手方向の中心線ｘ−ｘ上で、かつ接続片支持部１２の根元の外面（図５（ａ）中、下面側）に貫通して形成され、操作窓孔１１ａ２は、係合窓孔１１ａ１に連続したケース部材１１ａの内面、すなわち本体１１の長手方向の中心線ｘ−ｘ上に位置し、貫通して形成される。
【００２９】
そして、ロック部材１５における係合部１５ａの鉤部分が係合窓孔１１ａ１に臨み、鉤部分が係合窓孔１１ａ１から出没するように位置させ、さらにロック解除部材１６の操作部１６ａが操作窓孔１１ａ２に臨み、操作ボタン１６ａ１が操作窓孔１１ａ２から出没するように位置させてロック部材１５を支持し、同時に、ロック解除部材１６をケース部材１１ａ、すなわち本体１１内に収容して設ける。
【００３０】
上記により、ロック部材１５は、本体１１の長手方向の中心線ｘ−ｘ上に略位置して支持され、ロック解除部材１６も本体１１の長手方向の中心線ｘ−ｘ上に略位置して設けられる。これにより、Ｃ型プラグ１０全体の小形化が可能になる。すなわち、ロック部材１５およびロック解除部材１６が、本体１１の長手方向の中心線ｘ−ｘ上に略位置して支持されることは、同様に本体１１の中心線ｘ−ｘ上に位置するアース接続片１４Ｇの位置と重なり、かつアース接続片１４Ｇは、薄いリン青銅板で構成されていることから、アース接続片１４Ｇの下面とケース部材１１ａの内底面との間に空間、すなわち、デッドスペースＳ１が形成される。このデッドスペースＳ１を利用してロック部材１５およびロック解除部材１６を収容して設けることができる。これにより、本体１１を大きくすることなく、換言すれば、従来のＣ型プラグと同様の大きさ寸法で、ロック付きのＣ型プラグを提供することが可能になる。さらには、Ｃ型プラグとして、栓刃の本体１１に対する位置や大きさ、さらには構成を変更することなく、ロック機構付のＣ型プラグを構成することができ、従来品との互換性、すなわち、ロック機構付きでない既存のコネクタやコンセント等の電気接続受器に対しても、そのまま使用することができ、汎用性に優れたＣ型プラグを提供することが可能になる。
【００３１】
そして、支持部１５ｂの枢軸１５ｂ１が操作窓孔１１ａ２を構成する内面の両側面に軸支される。またコイルスプリング１５ｃは、操作部１６ａの内面側と、本体１１の中心線ｘ−ｘ上に位置するアース接続片１４Ｇの裏面側との間に圧縮されて収容される。これにより、コイルスプリング１５ｃの反発力によって、ロック部材１５における係合部１５ａの鉤部が、常時、係合窓孔１１ａ１から外方に突出し、また、ロック解除部材１６の操作部１６ａの傾斜した操作ボタン１６ａ１の頂部が、常時、操作窓孔１１ａ２から外方に若干突出した状態になるように設けられる（図５（ａ））。
【００３２】
本実施形態において、操作部１６ａの操作ボタン１６ａ１の寸法は、約１０ｍｍ角に形成し、操作ボタンが操作窓孔１１ａ２から外方に突出する寸法ｔ１（図３（ｂ））は、約１．４ｍｍに構成した。図１、図３（ｂ）中、１１ａ３は、操作窓１１ａ２の両側、すなわち、ケース部材１１ａの外表面に一体に突出して形成した一対のストッパー片であり、ストッパー片１１ａ３、１１ａ３の高さ寸法ｔ２は（図３（ｂ））、操作ボタン１６ａ１が操作窓孔１１ａ２から外方に突出する寸法ｔ１と等しいか若干高く形成する（ｔ１≦ｔ２）。これにより、使用者の指先によって操作ボタン１６ａ１を操作することはできるが、指より大きなもの、例えば、ケース部材１１ａが床面や卓上面に押さえつけられた際には、一対のストッパー片１１ａ３、１１ａ３が操作ボタン１６ａ１より先に床面や卓上面に当たり、不用意に操作ボタン１６ａ１が押し付けられてロックが解除されないように作用する。
【００３３】
上記のように、ニュートラル側の接続部１１Ｎ、ホットライン側の接続部１１Ｌおよびアース線の接続部１１Ｇが設けられ、さらにロック部材１５およびロック解除部材１６が収容されて設けられたケース部材１１ａに対し、カバー部材１１ｂがその開放面をケース部材１１ａの開放面に接合することによって、すなわち、ケース部材１１ａに設けられた接続部１１Ｎ、１１Ｌ、１１Ｇおよびロック部材１５、ロック解除部材１６を覆うようにしてカバー部材１１ｂが被せられ、４本のネジｓ１（図２）によってケース部材１１ａに固定される。この際、カバー部材１１ｂは、ケース部材１１ａのみを覆い、接続片支持部１２は覆われない。これにより、接続片支持部１２の樋の両側面に支持された一対の接続片１３Ｎ、１３Ｌおよび樋の凹溝の内底面に支持されたアース接続片１４Ｇは、外部に露出した状態、すなわち、Ｃ型コネクタやＣ型コンセント等の電気接続受器２０と電気的に接続が可能な状態になっている。なお、図３（ａ）（ｃ）中、１７は、ケース部材１１ａの他端部側の電線導入部１８に対向して設けられたコード止め具である。
【００３４】
上記のように、本実施形態のＣ型プラグ１０は、接続部１１Ｎ、１１Ｌ、１１Ｇおよびロック部材１５、ロック解除部材１６等が本体１１のケース部材１１ａ内に全て収容されて設けられているので、組み立てに際しては、各部品をケース部材１１ａとカバー部材１１ｂにそれぞれ分けて組み立てることなく、ケース部材１１ａのみで、かつその一面側で全て組立を行うことができ、作業性を向上させることが可能になる。同時に、カバー部材１１ｂを外しても、接続部１１Ｎ、１１Ｌ、１１Ｇおよびロック部材１５、ロック解除部材１６等の各部品が一気にバラけることがなく、分解や組み立て等の作業性を一層向上させることが可能になる。
【００３５】
上記により、演出空間専用の１２５Ｖ、３０Ａ仕様のＣ型プラグ、すなわち電気接続器１０が構成される。本実施形態の電気接続器１０の寸法は、横寸法Ｌ１が約１２４ｍｍ、縦寸法Ｌ２が約５４ｍｍ、厚さ寸法Ｌ３が約２４ｍｍに構成される（図３）。
【００３６】
上記に構成されたＣ型プラグ１０、すなわち、電気接続器は、演出空間における負荷、例えば、スタジオ用照明器具等に対してケーブル（ニュートラル側の電線、ホットライン側の電線およびアース線）によって接続され、電源や調光装置等の電源部に接続されたコネクタやコンセント等の電気接続受器２０に差し込まれ、電気的に接続されて電気接続装置４０を構成し、負荷に電源を供給するようにして使用される。
【００３７】
次に、上記構成のＣ型プラグ１０が差し込まれて接続されるコネクタやコンセント等の電気接続受器の構成につき説明する。本実施形態のＣ型電気接続受器は、Ｃ型コネクタ２０を構成するもので、図１、図２、図４に示すように、上述したＣ型プラグ１０の一対の接続片１３Ｎ、１３Ｌおよびアース接続片１４Ｇが挿入される挿入口２２を有する本体２１と、本体２１の挿入口に対向して本体２１内に収容される一対の受接続片２３Ｎ、２３Ｌおよびアース受接続片２４Ｇと、前記本体２１の挿入口２２内部に形成され、上述したＣ型プラグ１０のロック部材１５の係合部１５ａが係合する係合受部２５等で構成する。なお、一対の受接続片２３Ｎ、２３Ｌの内、ホットライン側の受接続片２３Ｌは、感電を防止するための通電用の接点を有して構成される。
【００３８】
本体２１は、Ｃ型プラグ１０と同様に、電気絶縁性を有するフェノール樹脂等の合成樹脂で構成されたケース部材２１ａとカバー部材２１ｂで構成され、ケース部材２１ａは上面を開放した浅い矩形状をなし、カバー部材２１ｂも同様に、下面を開放した浅い矩形状をなし、それぞれの開放面を接合することによって、内部に空間を形成した扁平の箱体をなす本体２１が構成される。
【００３９】
ケース部材２１ａは、その空間内に、一対の電線およびアース線が接続される接続部を内部に有して構成される。すなわち、本実施形態では、ニュートラル側の電線が接続される接続部２１Ｎ、ホットライン側の電線が接続される接続部２１Ｌおよびアース線が接続される接続部２１Ｇがケース部材２１ａの空間内に配置されて収容される。
【００４０】
ニュートラル側の接続部２１Ｎとホットライン側の接続部２１Ｌは、ケース部材２１ａの長手方向の中心線ｘ−ｘを中心にし、左右対称となるように対向させ、ケース部材２１ａの一端部側(図４（ａ）中、左方)の両側内面に沿って配置する。また、アース線が接続される接続部２１Ｇは、左右対称に配置されたニュートラル側の接続部２１Ｎとホットライン側の接続部２１Ｌ間に、換言すれば、ケース部材２１ａの長手方向の中心線ｘ−ｘ上に略位置するようにして配置される。
【００４１】
本実施形態において、各接続部２１Ｎ、２１Ｌ、２１Ｇは、ケース部材２１ａの底面に嵌合することにより設けられた黄銅板からなる端子板２１Ｎ１、２１Ｌ１、２１Ｇ１と、これら端子板にねじ込むことが可能な黄銅からなる端子ネジ２１Ｎ２、２１Ｌ２、２１Ｇ２で構成した。
【００４２】
挿入口２２は、上述したＣ型プラグ１０の接続片支持部１２とともにプラグの栓刃を構成する一対の接続片１３Ｎ、１３Ｌおよびアース接続片１４Ｇが挿入されるもので、本実施形態において、挿入口２２は、ケース部材２１ａとカバー部材２１ｂの一端部側(図４（ａ）中、右方)の端面に樹脂成形によって一体に形成した。
【００４３】
挿入口２２は、図４（ｂ）に示すように、Ｃ型プラグ１０の横断面が略Ｕ字形の樋をなす接続片支持部１２が挿入できるように、カバー部材２１ｂ側の孔は、凸条部２２ａを有する凸形に形成され、ケース部材２１ａ側の孔は、凹形に形成され、ケース部材２１ａとカバー部材２１ｂを合わせることによって、横断面が略Ｕ字形の孔形状をなすように形成される。
【００４４】
そして、挿入口２２は、Ｃ型プラグ１０における接続片支持部１２の略Ｕ字形の樋寸法より若干大きな寸法の孔として形成するとともに、本体１１の長手方向の中心線ｘ−ｘを中心として、左右対称となるように形成され、挿入口２２の凸条部２２ａがＣ型プラグ１０における接続片支持部１２の樋の凹溝部分に嵌合するようにして挿入される。したがって、挿入口２２の凸条部２２ａとＣ型プラグ１０における接続片支持部１２の樋の凹溝部分との位置合せを行わないと挿入することができず、本実施形態のＣ型コネクタ２０は、プラグの挿入方向が一定方向に規制され、さらに、ホットライン側の受接続片２３Ｌは、Ｃ型プラグ１０が完全に挿入されたときにのみ通電用の接点が接触するようにして、プラグ挿入時における感電を防止した電気接続受器として構成される。
【００４５】
この略Ｕ字形の孔形状をなす挿入口２２の一方（図４（ｂ）中、下方）の孔２２ｂには、Ｃ型プラグ１０におけるニュートラル側の接続片１３Ｎが挿入され、他方の孔２２ｃには、Ｃ型プラグ１０におけるホットライン側の接続片１３Ｌが挿入される。
【００４６】
一対の受接続片２３Ｎ、２３Ｌは、Ｃ型プラグ１０の一対の接続片１３Ｎ、１３Ｌが挿入されることにより接続されるもので、コネクタにおける刃受け金具を構成し、導電性を有しかつバネ性を有するリン青銅や黄銅板で構成される。本実施形態では、それぞれが短冊状をなすリン青銅板で略Ｖ字形になるようにして折り曲げられ、一方がニュートラル側の受接続片２３Ｎを構成し、他方がホットライン側の受接続片２３Ｌを構成する。
【００４７】
そして、ニュートラル側の受接続片２３Ｎの一端が、ケース部材２１ａのニュートラル側の端子板２１Ｎ１に対し、端子ネジ２１Ｎ２によってネジ込まれて接続され、他端がケース部材２１ａの一方（図４（ａ）中、下方）の内側面と固定リブとの間に沿って延出され、さらに先端部分が折り曲げられて一方の挿入口２２ｂに面するように配置される。
【００４８】
ホットライン側の受接続片２３Ｌは、それぞれが分離されて構成された固定接続片２３Ｌ１と可動接続片２３Ｌ２からなり、固定接続片２３Ｌ１と可動接続片２３Ｌ２の先端部に接離可能な固定接点２３Ｌ３と可動接点２３Ｌ４が設けられている。この固定接点２３Ｌ３と可動接点２３Ｌ４は、Ｃ型プラグ１０が完全に挿入されたときにのみ接触し、分離されて構成された固定接続片２３Ｌ１と可動接続片２３Ｌ２が通電可能な状態になり、プラグ挿入時における感電を防止することが可能になるように構成される。
【００４９】
そして、固定接続片２３Ｌ１の一端が、ホットライン側の端子板２１Ｌ１に対し、端子ネジ２１Ｌ２によってネジ込まれて接続され、可動接続片２３Ｌ２がケース部材２１ａの一方（図４(a)中、上方）の内側面と固定リブとの間に沿って延出され、さらに先端部分が折り曲げられて他方の挿入口２２ｃに面するように配置される。
【００５０】
アース受接続片２４Ｇは、図４（ｃ）に示すように、Ｃ型プラグ１０のアース接続片１４Ｇが挿入されることにより接続されるもので、コネクタにおけるアース側の刃受け金具を構成し、導電性を有しかつバネ性を有するリン青銅や黄銅で構成される。本実施形態では、短冊状のリン青銅板で略Ｖ字形になるようにして折り曲げられたアース受接続片２４Ｇの一端が、ケース部材２１ａの端子板２１Ｇ１に対し、端子ネジ２１Ｇ２によってネジ込まれて接続される。また他端が、ケース部材２１ａに沿って延出され、さらに先端部分が内底面に向けて折り曲げられ挿入口２２の凸条部２２ａの内面に面するように配置される。そして、アース受接続片２４Ｇは、挿入口２２に形成された凸条部２２ａの背面側に連続した位置に、換言すれば、一対の受接続片２３Ｎ、２３Ｌの間で、本体２１の長手方向の中心線ｘ−ｘ上に略位置するように本体２１内に支持される。
【００５１】
係合受部２５は、本体２１の挿入口２２の内部に形成され、Ｃ型プラグ１０の一対の接続片１３Ｎ、１３Ｌおよびアース接続片１４Ｇが挿入口２２から挿入され、一対の受接続片２３Ｎ、２３Ｌおよびアース受接続片２４Ｇに接続された状態で、Ｃ型プラグ１０におけるロック部材１５の係合部１５ａが係合し、Ｃ型コネクタ２０からＣ型プラグ１０が抜けないようにロックするための部材で、本実施形態においては、次のように構成した。
【００５２】
すなわち、図５（ｂ）（ｃ）に拡大して示すように、係合受部２５は、ケース部材２１ａの凹形をなす孔で構成された挿入口２２内側に対し、凹形の孔に連続して凹部２５ａを樹脂成形によって一体に形成することによって構成した。この凹部２５ａは、Ｃ型プラグ１０の本体１１の長手方向中心線ｘ−ｘ上に略位置して設けられたロック部材１５に対応する位置、すなわち、Ｃ型コネクタ２０における本体２１の長手方向中心線ｘ−ｘ上に略位置して設けられる。
【００５３】
そして、凹部２５ａには、Ｃ型プラグ１０におけるロック部材１５の鉤状の係合部１５ａが挿入され、凹部の挿入口２２側の段部２５ｂに係合部１５ａの鉤が係合することによって、長手方向の中心線ｘ−ｘ方向へ向かう力、すなわち、Ｃ型プラグ１０のＣ型コネクタ２０に対する引き抜き方向の力に対して係合する。これにより、Ｃ型プラグ１０とＣ型コネクタ２０とを引き抜き方向に対してロックすることが可能になる。なお、図５（ｂ）（ｃ）中、２５ｃは、挿入口２２の下辺部、すなわち、凹部２５ａと段部２５ｂに連続する挿入口の入口部分に、段部に向かって傾斜して形成されたガイド部であり、Ｃ型プラグ１０におけるロック部材１５の係合部１５ａの鉤を、挿入口２２から段部２５ｂ、さらに凹部２５ａに向けてガイドする作用を行う。
【００５４】
本実施形態において、係合受部２５は、凹部２５ａで構成したことにより、ケース部材２１ａの挿入口２２の裏側に形成されるデッドスペースＳ２を利用して係合受部２５を設けることができる。これにより、本体２１を大きくすることなく、換言すれば、従来のＣ型コネクタと同様の大きさ寸法で、ロック機構付きのＣ型コネクタを提供することが可能になる。さらに、挿入口２２には、プラグの栓刃の挿入を阻害するもの、例えば、凸部等が形成されていない。これにより、従来品との互換性、すなわち、ロック機構付きでない既存のＣ型プラグ等の電気接続器に対しても、そのまま使用することができ、汎用性に優れたＣ型コネクタを提供することが可能になる。
【００５５】
上記のように、ニュートラル側の接続部２１Ｎ、ホットライン側の接続部２１Ｌ、アース線の接続部２１Ｇ、ニュートラル側の受接続片２３Ｎ、ホットライン側の受接続片２３Ｌ、アース線の受接続片２４Ｇ、さらに係合受部２５が収容されて設けられたケース部材２１ａに対し、カバー部材２１ｂがその開放面をケース部材２１ａの開放面に接合することによって、すなわち、ケース部材２１ａに設けられた各部品を覆うようにしてカバー部材２１ｂが被せられ、４本のネジｓ２（図２）によってケース部材２１ａに固定される。この際、ケース部材２１ａとカバー部材２１ｂの一端面によって凹形をなす挿入口２２が形成され、Ｃ型プラグ等の電気接続器１０と電気的に接続が可能な状態になっている。なお、図４（ａ）（ｃ）中、２７は、ケース部材１１ａの他端部側の電線導入部２８に対向して設けられたコード止め具である。
【００５６】
上記のように、本実施形態のＣ型コネクタ２０は、接続部２１Ｎ、２１Ｌ、アース線の接続部２１Ｇ、受接続片２３Ｎ、２３Ｌ、アース線の受接続片２４Ｇ、さらに係合受部２５等は本体２１のケース部材２１ａに全て設けられていることから、組み立てに際しては、各部品をケース部材２１ａとカバー部材２１ｂにそれぞれ分けて組み立てることなく、ケース部材２１ａのみで、かつその一面側で全て組立を行うことができ、作業性を向上させることが可能になる。同時に、カバー部材２１ｂを外しても、接続部２１Ｎ、２１Ｌ、２１Ｇ、受接続片２３Ｎ、２３Ｌ、２４Ｇ、さらに係合受部２５等の部品が一気にバラけることがなく、分解や組み立て等の作業性を一層向上させることが可能になる。
【００５７】
上記により、演出空間専用の１２５Ｖ、３０Ａ仕様のＣ型コネクタ、すなわち電気接続受器２０が構成される。本実施形態の電気接続受器２０の寸法は、上述したＣ型プラグ１０と略同様の寸法に構成される。
【００５８】
上記に構成されたＣ型コネクタ２０、すなわち、電気接続受器は、電源や調光装置等の電源部に対してケーブル（ニュートラル側の電線、ホットライン側の電線およびアース線）によって接続され、スタジオ用照明器具等に接続されたＣ型プラグ等の電気接続器１０が差し込まれることにより電気的に接続されて電気接続装置４０を構成し、負荷に電源を供給するようして使用される。
【００５９】
次に、上記構成のＣ型コネクタ２０と同様に、Ｃ型プラグ１０が差し込まれて接続されるＣ型コンセント３０の構成につき説明する。本実施形態のＣ型コンセント３０は、図６に示すように、上述したＣ型コネクタ２０と同様の構成をなし、接続部のみが本体の背面（本体の他端面）に外部に露出して構成される。すなわち、ニュートラル側の接続部３１Ｎ、ホットライン側の接続部３１Ｌおよびアース線が接続される接続部３１Ｇがケース部材３１ａの背面側に傾斜して設けられている。なお、断面図である図６では、アース線が接続される接続部３１Ｇ、端子板３１Ｇ１、アース受接続片３４Ｇのみを図示している。
【００６０】
そして、各接続部３１Ｎ、３１Ｌ、３１Ｇには、ケース部材３１ａの背面に傾斜して固定された黄銅板からなる端子板３１Ｎ１、３１Ｌ１、３１Ｇ１が設けられ、これら各端子板に対して、ニュートラル側の受接続片３３Ｎ、ホットライン側の通電用の接点を有して構成される受接続片３３Ｌおよびアース受接続片３４Ｇのそれぞれの一端が、黄銅からなる端子ネジ３１Ｎ２、３１Ｌ２、３１Ｇ２によって接続されて構成される。その他、係合受部３５等の構成は、上述したＣ型コネクタ２０と略同様であり詳細な説明は省略する。
【００６１】
上記に構成されたＣ型コンセント３０、すなわち、電気接続受器は、コンセントボックス（図示省略）に１個または複数個が並設されて収容され演出空間用のコンセントが構成され、例えば、舞台の床面等に設置され、電源や調光装置等の電源部に対してケーブル（ニュートラル側の電線、ホットライン側の電線およびアース線）によって接続され、スタジオ用照明器具等に接続されたＣ型プラグ等の電気接続器１０が差し込まれることにより電気的に接続されて電気接続装置４０を構成し、負荷に電源を供給するようして使用される。
【００６２】
次に、上述した電気接続器と電気接続受器で構成される電気接続装置の構成を説明する。本実施形態の電気接続装置４０は、上述したＣ型プラグ１０とＣ型コネクタ２０で構成される。すなわち、Ｃ型プラグ１０をＣ型コネクタ２０に接続する場合、本実施形態のＣ型コネクタ２０は、プラグの挿入方向を一定方向に規制した電気接続受器として構成されているので、図１、図２に示すように、挿入口２２の凸条部２２ａとＣ型プラグ１０における接続片支持部１２の樋の凹溝部分との位置合せを行い、Ｃ型プラグ１０における接続片支持部１２の凹溝部分を、Ｃ型コネクタ２０における挿入口２２の凸条部２２ａに嵌合するようにして矢印ａ方向に挿入して行く。
【００６３】
これにより、図７に示すように、Ｃ型プラグ１０における接続片支持部１２に支持されたニュートラル側の接続片１３Ｎとホットライン側の接続片１３Ｌが、Ｃ型コネクタ２０のニュートラル側の受接続片２３Ｎとホットライン側の受接続片２３Ｌと接触し、同時に、Ｃ型プラグ１０の各接続片１３Ｎ、１３Ｌによって、Ｃ型コネクタ２０の各受接続片２３Ｎ、２３Ｌがそのバネ性に抗しながら各受接続片２３Ｎ、２３Ｌを左右（図７（ａ）中、上下）に押し広げ、Ｃ型プラグ１０の各接続片１３Ｎ、１３ＬとＣ型コネクタ２０の各受接続片２３Ｎ、２３Ｌが強く密着して接触し電気的な接続がなされる。
【００６４】
この際、ホットライン側の受接続片２３Ｌにおいては、可動接続片２３Ｌ２の先端部分が、Ｃ型プラグ１０におけるホットライン側の接続片１３Ｌと接触し、そのバネ性に抗しながら可動接続片２３Ｌ２の先端部が図７（ａ）中、上方に押し広げられる。そして、さらなるＣ型プラグ１０の挿入によって、可動接続片２３Ｌ２の可動接点２３Ｌ４と、固定接続片２３Ｌ１の固定接点２３Ｌ３とが強く密着して接触し電気的な接続がなされる。これにより、Ｃ型プラグ１０が完全に挿入されたときにのみ通電がなされ、プラグ挿入途中時における万が一の感電が防止される。
【００６５】
この動作と同時に、Ｃ型プラグ１０における接続片支持部１２の樋の凹溝部分に支持されたアース接続片１４Ｇが、Ｃ型コネクタ２０のアース受接続片２４Ｇと接触し（図７（ｂ））、Ｃ型プラグ１０のアース接続片１４Ｇによって、Ｃ型コネクタ２０のアース受接続片２４Ｇがそのバネ性に抗しながらアース受接続片２４Ｇを上方に押し上げ、Ｃ型プラグ１０のアース接続片１４ＧとＣ型コネクタ２０のアース受接続片２４Ｇが強く密着して接触し電気的な接続がなされる。そして、Ｃ型プラグ１０の端面とＣ型コネクタ２０の端面同士が接触することによって各接続片１３Ｎ、１３Ｌ、１４Ｇと各受接続片２３Ｎ、２３Ｌ、２４Ｇの接触位置が固定される。
【００６６】
そして、Ｃ型プラグ１０の各接続片１３Ｎ、１３Ｌ、１４ＧとＣ型コネクタ２０の各受接続片２３Ｎ、２３Ｌ、２４Ｇが接触した状態で、端面同士が接触する直前に、Ｃ型プラグ１０におけるロック部材１５の係合部１５ａが、Ｃ型コネクタ２０の係合受部２５に係合する。すなわち、図５に拡大して示すように、Ｃ型プラグ１０の端面とＣ型コネクタ２０の端面同士が接触する直前に、図５（ａ）のように、係合部１５ａの鉤が突出した状態から、図５（ｂ）に示すように、Ｃ型プラグ１０における係合部１５ａの鉤が挿入口２２のガイド部２５ｃに当接し、さらなるＣ型プラグ１０の押し込み操作によって、係合部１５ａの鉤がガイド部２５ｃにガイドされながら上方に移動する。この移動は、ロック部材１５の支持部１５ｂに設けられた枢軸１５ｂ１を中心にした図５（ｂ）中、矢印ｂ方向の回動、すなわち、コイルスプリング１５ｃに抗して圧縮しながら行われる。
【００６７】
そして、図５（ｃ）に示すように、係合部１５ａの鉤がガイド部２５ｃを越え、さらに段部２５ｂを越えると、コイルスプリング１５ｃの反発力によって、係合部１５ａの鉤が係合受部２５の凹部２５ａに落とし込まれ、係合部１５ａの鉤が係合受部２５の凹部２５ａ（凹部２５ａを形成する段部２５ｂの角）に係合する。これにより、Ｃ型プラグ１０とＣ型コネクタ２０は、その引き抜き方向の力に対して係合し、ロックすることができる。
【００６８】
上記のように、Ｃ型プラグ１０とＣ型コネクタ２０の接続に際しては、使用者は、ロックをかける操作を意識することなく、単にＣ型プラグ１０をＣ型コネクタ２０に対して差し込む操作のみの簡単な操作によって、自動的に引き抜き方向の力に対してロックすることができる。これは、従来のロック機構付きでないＣ型プラグ１０とＣ型コネクタ２０との差し込み操作と同様の操作で行うことが可能になり、従来のように、テープや紐で縛る煩雑な作業が不要となり、簡単な操作によってロックすることができる。
【００６９】
さらに、ロックは、係合部１５ａの鉤が係合受部２５の凹部２５ａに嵌まり込む機械的な係合によって行われるので、強固に係合することができ、使用者が誤って足で引っ掛けたりしても容易に外れることがなく、確実な抜け止めを行うことが可能になる。
【００７０】
また、従来のように、Ｃ型コネクタ２０のバネ性を有する受接続片２３Ｎ、２３Ｌ、２４Ｇの保持力によって抜け止めを行うだけでなく、ロック部材１５によって機械的にロックを行うので、より一層、強固にかつ確実にロックすることができる。さらに、バネ性を有する受接続片２３Ｎ、２３Ｌ、２４Ｇの保持力とは別に、ロック部材１５のみによって確実にロックをすることも可能になり、受接続片２３Ｎ、２３Ｌ、２４Ｇの保持力をＪＡＴＥＴ規格の範囲内で比較的弱い保持力、例えば、３０ニュートン程度にすることも可能になり、受接続片として安価な材質や厚みを薄くすることもでき、コスト的にも有利なロック機構付の電気接続受器を提供することも可能になる。同時に、接続時の力を軽くすることも可能になり、操作性を向上させることもできる。
【００７１】
また、ロック解除部材１６の操作ボタン１６ａ１が出没する操作窓孔１１ａ２の両側に一対のストッパー片１１ａ３、１１ａ３を形成したので、指より大きなものが押さえ付けられた際には、ロックが解除されないように作用するため、使用者が誤って床等に設置されたＣ型プラグ１０を踏みつけた場合であっても、不用意にロックが解除されることがなく、より一層確実な抜け止めを行うことが可能になる。
【００７２】
次に、負荷の交換等でＣ型プラグ１０をＣ型コネクタ２０から引き抜く場合には、従来のロック機構付でないＣ型プラグ１０の引き抜き操作と略同様の簡単な操作によって引き抜くことができる。すなわち、引き抜きに際しては、先ずＣ型プラグ１０におけるケース部材１１ａの裏面、すなわち、ロック解除部材１６の操作ボタン１６ａ１に親指を当て、他の４本の指をカバー部材１１ｂの表面に当てて、図１、図２中、矢印ａと逆方向に引き抜く。この操作は、従来の親指と他の４本の指で本体１１を挟んで保持し引き抜く動作と同様である。
【００７３】
そして、本実施形態によれば、ロック解除部材１６の操作ボタン１６ａ１に親指を当てた際に、操作ボタン１６ａ１を押すことによって、ロックを簡単に解除することができる。先ず、操作ボタン１６ａ１をコイルスプリング１５ｃに抗し圧縮しながら押すと、図５（ｃ）に示すロック部材１５の係合部１５ａが係合受部２５の凹部２５ａに係合した状態から、図５（ｂ）に示すように、ロック部材１５が矢印ｂ方向に回動し、係合部１５ａの鉤が係合受部２５の凹部２５ａから外れ、係合部１５ａと係合受部２５の係合状態が解除される。そして、操作ボタン１６ａ１を押したままの状態、すなわち、従来と同様に、親指と他の４本の指で本体１１を挟んだ状態で、本体１１を矢印ａと逆の方向に引き抜けば、Ｃ型プラグ１０をＣ型コネクタ２０から引き抜くことができる。そして、操作ボタン１６ａ１の親指による押圧を解除すると、コイルスプリング１５ｃの反発力によって、係合部１５ａの鉤が矢印ｂと逆方向に回動して、図５（ａ）に示す元の状態に戻り、自動的に接続する前の状態のＣ型プラグ１０になる。なお、図６に示すＣ型コンセント３０に対しても、上記と同様にＣ型プラグが接続されて電気接続装置４０が構成される。
【００７４】
以上本実施形態において、Ｃ型プラグ１０のロック解除部材１６は、本体１１のケース部材１１ａ側に設けたが、カバー部材１１ｂ側に設けるように構成してもよい。すなわち、図８（ａ）に示すように、先ず、ロック部材１５は、係合部１５ａと支持部１５ｂとの中間に枢軸１５ｂ１を一体に形成し、枢軸１５ｂ１を中心にして矢印ｂ方向に回動できるように構成する。
【００７５】
また、ロック解除部材１６における操作部１６ａの操作ボタン１６ａ１は、ロック部材１５とは別に構成し、操作ボタン１６ａ１の下面に垂下するように押圧部１６ａ２を樹脂性成形によって一体に形成し、操作ボタン１６ａ１の上部をカバー部材１１ｂに形成された操作窓孔１１ｂ１から若干突出させ、下部を支持ケース１６ａ３内にコイルスプリング１６ａ４を介在させて支持する。そして、操作ボタン１６ａ１の押圧部１６ａ２の下端をロック部材１５の支持部１５ｂの上面に当接させて構成する。
【００７６】
これにより、図８（ｂ）に示すように、コイルスプリング１６ａ４の弾力に抗して、操作ボタン１６ａ１を下方に押圧することにより、ロック部材１５を矢印ｂ方向に回動させ、ロック部材１５と係合受部２５における凹部２５ａとの解除操作を行うことができる。
【００７７】
なお、本構成においても、ロック部材１５と係合受部２５における凹部２５ａとの係合は、上述の図５と同様の作動によって、Ｃ型プラグ１０とＣ型コネクタ２０またはＣ型コンセント３０との抜け止めを行うことができる。本変形例において、その他の構成、作動、作用効果等は、上述した内容と同様であり、図１〜図７と同一部分に同一符号を付し、詳細な説明は省略する。
【００７８】
また、本実施形態において、Ｃ型コネクタ２０における係合受部２５の凹部２５ａは、挿入口２２の内部で、本体２１の長手方向中心線ｘ−ｘ上に略位置して設けたが、例えば、挿入口２２の両側またはいずれか一方の側面の内部等、中心線ｘ−ｘ以外の位置に設けるように構成してもよい。また、Ｃ型プラグ１０およびＣ型コネクタ２０、Ｃ型コンセント３０の本体１１、２１、３１は、フェノール樹脂によって構成したが、他の例えば、ユリア樹脂やＡＢＳ樹脂等、耐熱性に優れた樹脂で構成してもよい。さらには、磁器やゴム等で構成したものであってもよい。
【００７９】
また、Ｃ型プラグ１０における接続片支持部１２は、ケース部材１１ａと樹脂成形によって一体に形成したが、ケース部材とは別体に構成し、係合や接着等の手段によって一体化して構成してもよい。また、接続部１１Ｎ、１１Ｌ、１１Ｇおよびロック部材１５、ロック解除部材１６等が本体１１のケース部材１１ａ内に全て収容して設けたが、カバー部材１１ｂ側に設けるように構成してもよい。さらに、Ｃ型コネクタ２０における接続部２１Ｎ、２１Ｌ、アース線の接続部２１Ｇ、受接続片２３Ｎ、２３Ｌ、アース線の受接続片２４Ｇ、さらに係合受部２５等は本体２１のケース部材２１ａに全て設けたが、カバー部材２１ｂ側に設けるように構成してもよい。本実施形態は、Ｃ型プラグ１０、Ｃ型コネクタ２０およびＣ型コンセント３０を構成したが、他の形式の電線接続器、電線接続受器およびこれらによって構成される電線接続装置に適用してもよい。
【００８０】
また、本発明者らは、簡易な構成で、かつ簡単な操作で確実に電気接続器と電気接続受器との抜け止めを行うことが可能なロック部材、本例では抜け止め具を次のように構成した。
【００８１】
すなわち、図９にその構成を示すように、５０は、抜け止め具で、バンド状の本体５１と、本体５１の一端にＴ字形になるように取り付けられた短いバンドからなる固定部材５２と、本体５１の他端に形成された電線挿通孔５３で構成する。
【００８２】
本体５１は、樹脂、布、皮等でバンド状に構成する。固定部材５２は、鉤状とパイル状の表面を有する２枚１組の面ファスナで構成し、短いバンドの両端に鉤状とパイル状の面ファスナをそれぞれ対向するように取り付ける。電線挿通孔５３は、バンド状をなす本体５１の他端に、電線が挿通できる大きさの孔を貫通させて形成する。
【００８３】
上記に構成された抜け止め具５０は、図９（ｅ）に示すように、コネクタ６０とプラグ７０に設けられて抜け止めを行う。なお、本例において、コネクタ６０とプラグ７０は、樹脂成形によって一体に構成したモールド型の小型のコネクタおよびプラグを用いた。
【００８４】
このコネクタ６０とプラグ７０の抜け止めを行うには、先ず、図９（ａ）に示すように、抜け止め具５０の電線挿通孔５３をコネクタ６０側の電線ｗ１に挿通し、固定部材５２をコネクタ６０の根元部分の凹みに巻き付けて面ファスナで固定しておく。
【００８５】
そして、図９（ｂ）のように、コネクタ６０にプラグ７０が接続された状態で、図９（ｃ）に示すように、固定部材５２の面ファスナを外してＴ字形になるように開く。次に、図９（ｄ）に示すように、本体５１を電線ｗ１に沿ってコネクタ６０からプラグ７０側に移動させる。そして、図９（ｅ）に示すように、Ｔ字形に開いた固定部材５２をプラグ７０の凹みに巻き付けて面ファスナで固定する。これにより、コネクタ６０とプラグ７０は、接続された状態で抜け止め具５０によって強固に固定され抜け止めがなされる。
【００８６】
また、抜け止めを解除するには、上記と逆に、図９（ｅ）の状態から、図９（ｄ）に示すように、固定部材５２の面ファスナを外せば、簡単に抜け止めが解除され、プラグ７０をコネクタ６０から引き抜くことができる。プラグを引き抜いた後は、抜け止め具５０が邪魔にならないように、図９（ｃ）に示すように、本体５１をコネクタ６０側に移動し、図９（ａ）に示すように、固定部材５２をコネクタ６０の根元に巻き付けて面ファスナで固定すればよい。
【００８７】
以上のように、本例によれば、バンドと面ファスナからなる簡易な構成の抜け止め具５０によって、バンドを移動し巻き付け面ファスナで固定する簡単な操作によって確実に抜け止めを行うことが可能になる。また、本例の抜け止め具５０は、バンドと面ファスナによって構成されているので、例えば、電線を束ねたり、電線やコンセント等を壁面等に引っ掛けたりすることも可能であり、便利な抜け止め具を提供することが可能になる。
【００８８】
さらに、コンセント８０とプラグ７０との抜け止め具９０を構成するようにしてもよい。すなわち、図１０に示すように、９０は、抜け止め具で、バンド状の本体９１と、本体９１の一端にＴ字形になるように取り付けられた短いバンドからなる固定部材９２と、本体９１の他端に形成された支持部９３で構成する。
【００８９】
本体９１は、上記と同様に、樹脂、布、皮等でバンド状に構成する。固定部材５２も上記と同様に、２枚１組の面ファスナで構成し、短いバンドの両端にそれぞれの面ファスナを対向して取り付ける。本体９１の他端に設けられる支持部９３は、コンセント８０の鍔部８１の裏側に嵌め込まれたリング状の支持金具９４に接着剤や鋲止め等によって強固に固定される。
【００９０】
上記に構成された抜け止め具９０は、図１０（ｅ）に示すように、コンセント８０とプラグ７０に設けられて抜け止めを行う。なお、本例において、コンセント８０とプラグ７０は、上記と同様に、樹脂成形によって一体に構成したモールド型の小型のコンセントおよびプラグを用いた。
【００９１】
このコンセント８０とプラグ７０の抜け止めを行うには、先ず、図１０（ａ）に示すように、抜け止め具９０の支持部９３を固定した支持金具９４をコンセント８０の鍔部８１の裏側に嵌め込みコンセント８０の前面部に固定部材９２を巻き付け面ファスナで固定しておく。そして、プラグ７０を接続する際には、図１０（ｂ）に示すように、固定部材９２の面ファスナを外してＴ字形になるように開く。次に、図１０（ｃ）に示すように、コンセント８０にプラグ７０を接続する。
【００９２】
そして、接続された状態で、図１０（ｄ）に示すようにＴ字形の固定部材９２をプラグ７０の凹み部分の表面に当接し、図１０（ｅ）に示すように、Ｔ字形に開いた固定部材９２をプラグ７０の凹みに巻き付けて面ファスナで固定する。
【００９３】
これにより、コンセント８０とプラグ７０は、接続された状態で抜け止め具９０によって強固に固定され抜け止めがなされる。また、抜け止めを解除するには、上記と逆に、図１０（ｅ）の状態から、図１０（ｄ）に示すように、固定部材９２の面ファスナを外せば、簡単に抜け止めが解除され、プラグ７０をコンセント８０から引き抜くことができる。また、プラグ７０を引き抜いた後は、抜け止め具９０が邪魔にならないように、図１０（ａ）に示すように、固定部材９２をコンセント８０の前面部に巻き付けて面ファスナで固定すればよい。
【００９４】
以上のように、本例によれば、上記同様に、バンドと面ファスナからなる簡易な構成の抜け止め具９０によって、バンドを巻き付け面ファスナで固定する簡単な操作によって確実に抜け止めを行うことが可能になる。また、本例の抜け止め具９０も、バンドと面ファスナによって構成されているので、例えば、電線を束ねたり、電線やコンセント等を壁面等に引っ掛けたりすることも可能であり、便利な抜け止め具を提供することが可能になる。
【００９５】
以上、本発明の好適な実施形態を説明したが、本発明は上述の実施形態に限定されることなく、本発明の要旨を逸脱しない範囲内において、種々の設計変更を行うことができる。
【符号の説明】
【００９６】
１０  電気接続器
１１  本体
１１ａ  ケース部材
１１ｂ  カバー部材
１１Ｎ、１１Ｌ、１１Ｇ  接続部
１２  接続片支持部
１３Ｎ、１３Ｌ  一対の接続片
１４Ｇ  アース接続片
１５  ロック部材
１５ａ  係合部
１５ｂ  支持部
１６  ロック解除部材
１６ａ  操作部
２０  電気接続受器
２１  本体
２２  挿入口
２３Ｎ、２３Ｌ  一対の受接続片
２４Ｇ  アース受接続片
２５  係合受部
３０  電気接続受器
４０  電気接続装置
【図１】
2014067482.tif 000003
【図２】
2014067482.tif 000004
【図３】
2014067482.tif 000005
【図４】
2014067482.tif 000006
【図５】
2014067482.tif 000007
【図６】
2014067482.tif 000008
【図７】
2014067482.tif 000009
【図８】
2014067482.tif 000010
【図９】
2014067482.tif 000011
【図１０】
2014067482.tif 000012